【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
エラストマーおよび促進剤を含む分散相と、
水相と
を含む水性エラストマー分散体。
【請求項２】
前記エラストマーが、硬化性脂肪族共役ジエンエラストマーである、請求項１の水性エラストマー分散体。
【請求項３】
前記エラストマーが、ポリイソプレン、ポリクロロプレン、スチレン−ブタジエン共重合体、アクリロニトリル−ブタジエン共重合体、スチレンブロック共重合体、およびブチルゴムからなる群から選択されることを特徴とする、請求項１の水性エラストマー分散体。
【請求項４】
前記エラストマーが、約１００，０００〜約３，０００，０００の分子量を有する、請求項１の水性エラストマー分散体。
【請求項５】
前記分散相は少なくとも一種の追加添加剤をさらに含むことを特徴とする、請求項１の水性エラストマー分散体。
【請求項６】
前記少なくとも一種の追加添加剤が、硫黄／硫黄ドナー、過酸化物硬化／架橋剤、活性剤、酸化防止剤、安定剤、可塑剤、オゾン分解防止剤、顔料、充填剤、抗菌剤、指示薬、および付加重合体からなる群から選択されることを特徴とする、請求項５の水性エラストマー分散体。
【請求項７】
前記少なくとも一種の追加添加剤の量が、当該エラストマー分散体の全固形分の重量比で約０．５〜約４９％である、請求項５の水性エラストマー分散体。
【請求項８】
硫黄ドナーが、多硫化チウラム類および多硫化キサントゲン類からなる群から選択されることを特徴とする、請求項６の水性エラストマー分散体。
【請求項９】
過酸化物硬化／架橋剤が、過酸化ジベンゾイル類、過酸化ジクミル類、およびそれらの組み合わせからなる群から選択されることを特徴とする、請求項６の水性エラストマー分散体。
【請求項１０】
前記促進剤が、ジチオカルバメート類、チアゾール類、硫化チウラム類、グアニジン類、およびチオ尿素類からなる群から選択されることを特徴とする、請求項１の水性エラストマー分散体。
【請求項１１】
活性剤が、酸化亜鉛、酸化マグネシウム、および酸化鉛からなる群から選択されることを特徴とする、請求項６の水性エラストマー分散体。
【請求項１２】
酸化防止剤が、ヒンダードフェノール類、ヒンダードポリフェノール類、ヒンダードフェノール／ヒンダードポリフェノール類、アミン類、トリアジノン誘導体、多芳香族アミン類、フェノール酸化防止剤ヒドラジド類、フェノール類、クレゾール類、およびスチレン化フェノール類からなる群から選択されることを特徴とする、請求項６の水性エラストマー分散体。
【請求項１３】
安定剤が、アルカリ類、界面活性剤、およびアルカリカゼイン塩からなる群から選択されることを特徴とする、請求項６の水性エラストマー分散体。
【請求項１４】
前記オゾン分解防止剤が、アルキル／アリールｐ−フェニレンジアミン類、有機粘土オゾン分解防止剤錯体、官能化ベンゾトリアゾール類、トリアジン類、ｐ−フェニレンジアミン類、ろう、重合体オゾン分解防止剤、およびオゾン不活性重合体からなる群から選択されることを特徴とする、請求項６の水性エラストマー分散体。
【請求項１５】
抗菌剤が、水不溶性有機フェノール化合物、無機銀化合物、亜鉛化合物、銅化合物、脂肪酸エステル、シリコーン−アンモニウム重合体、窒素含有重合体、およびヒドロキシ安息香酸類含有重合体からなる群から選択されることを特徴とする、請求項６の水性エラストマー分散体。
【請求項１６】
指示薬が、水分指示薬、着色剤、フタレイン染料、有機酸塩、遷移金属、ソルバトクロミック染料、微生物指示薬、ソルバトクロミック染料、酸性ｐＨ染料、アントシアニン染料、血液指示薬、酸塩基指示薬、および化学発光体からなる群から選択されることを特徴とする、請求項６の水性エラストマー分散体。
【請求項１７】
前記付加重合体が、液状ポリイソプレン、分子量が約２０，０００〜１００，０００のポリイソプレン、ポリイソプレンの異性体または類似体、ポリイソプレンの末端官能化誘導体、ポリイソプレンの共重合体、ポリクロロプレン、スチレン−ブタジエン共重合体、アクリロニトリル−ブタジエン共重合体、スチレンブロック共重合体、ブチルゴム、および前記重合体の修飾形態からなる群から選択されることを特徴とする、請求項６の水性エラストマー分散体。
【請求項１８】
前記スチレンブロック共重合体が、スチレン−イソプレン−スチレン（ＳＩＳ）共重合体である、請求項１７の水性エラストマー分散体。
【請求項１９】
前記付加重合体が、前記分散相における前記付加重合体の（重量比）約０．５〜約４９％の範囲であることを特徴とする、請求項１７の水性エラストマー分散体。
【請求項２０】
前記加硫促進剤が、約０．２〜約１０．０ｐｈｒの範囲の量添加されていることを特徴とする、請求項６の水性エラストマー分散体。
【請求項２１】
前記水相が、水溶性成分を含むことを特徴とする、請求項１の水性エラストマー分散体。
【請求項２２】
水溶性成分の量が、当該水性エラストマー分散体の全固形分の重量比で１０％以下である、請求項２１の水性エラストマー分散体。
【請求項２３】
請求項１の水性エラストマー分散体から製造された製品。
【請求項２４】
該製品が、手袋、コンドーム、プローブカバー、デンタルダム、指サック、およびカテーテルからなる群から選択されることを特徴とする、請求項２３の製品。
【請求項２５】
エラストマーと促進剤と溶媒系とを含むエラストマー／促進剤溶液を調製するステップと、
前記エラストマー／促進剤溶液を乳化し、乳濁液を生成するためのステップと、
前記乳濁液を濃縮し、濃縮乳濁液を生成するためのステップと、
前記濃縮乳濁液から前記溶媒系を実質的に全て除去し、実質的に無溶媒の分散体を生成するためのステップと、
任意選択的に、前記実質的に無溶媒の分散体を濃縮するステップと
を含む水性エラストマー分散体を調製する方法。
【請求項２６】
前記エラストマーが、ポリイソプレン、ポリクロロプレン、スチレン−ブタジエン共重合体、アクリロニトリル−ブタジエン共重合体、スチレンブロック共重合体、およびブチルゴムからなる群から選択されることを特徴とする、請求項２５の方法。
【請求項２７】
前記エラストマーが、約１００，０００〜約３，０００，０００の分子量を有する、請求項２６の方法。
【請求項２８】
前記エラストマー／促進剤溶液を調製するステップは、少なくとも一種の追加添加剤をさらに追加することを含む、請求項２５の方法。
【請求項２９】
前記少なくとも一種の追加添加剤が、硫黄／硫黄ドナー、過酸化物硬化／架橋剤、加硫活性剤、酸化防止剤、安定剤、可塑剤、オゾン分解防止剤、顔料、充填剤、抗菌剤、指示薬、および付加重合体からなる群から選択されることを特徴とする、請求項２８の方法。
【請求項３０】
前記少なくとも一種の追加添加剤の量が、前記エラストマー分散体の全固形分の重量比で約０．５〜４９％である、請求項２９の方法。
【請求項３１】
前記溶媒系が、第１の溶媒および第２の溶媒を含む、請求項２５の方法。
【請求項３２】
前記エラストマーが前記第１の溶媒に可溶で、前記促進剤が前記第２の溶媒に可溶である、請求項３１の方法。
【請求項３３】
前記第１の溶媒が一種以上の溶媒を含み、前記第２の溶媒が一種以上の溶媒を含む、請求項３１の方法。
【請求項３４】
前記乳化するステップが、乳化剤を添加することを含む、請求項２５の方法。
【請求項３５】
前記乳化するステップが、高剪断型ミキサーで混合することをさらに含む、請求項３４の方法。
【請求項３６】
前記濃縮するステップのうちの一方もしくは両方が、クリーミング剤を添加することを含む、請求項２５の方法。
【請求項３７】
前記濃縮するステップのうちの一方もしくは両方が、濃縮物と水溶液とを分離することをさらに含む、請求項３６の方法。
【請求項３８】
前記濃縮するステップのうちの一方もしくは両方が、連続遠心分離機を用いて遠心分離することによって行われることを特徴とする、請求項２５の方法。
【請求項３９】
前記除去するステップが、前記濃縮後の溶液から前記溶媒系を蒸発させることを含む、請求項２５の方法。
【請求項４０】
前記除去するステップが、前記溶媒系を蒸発させるために前記濃縮後の溶液を加熱することを含む、請求項２５の方法。
【請求項４１】
前記水性エラストマー分散体のｐＨを調節するステップをさらに含む、請求項２５の方法。
【請求項４２】
前記水性エラストマー分散体の全固形分が、重量比で約４５〜６５％である、請求項２５の方法。
【請求項４３】
前記水性エラストマー分散体から物品を製造するステップをさらに含む、請求項２５の方法。
【請求項４４】
前記物品が、手袋、コンドーム、プローブカバー、デンタルダム、指サック、およびカテーテルからなる群から選択されることを特徴とする、請求項４３の方法。